(57)【特許請求の範囲】
【請求項１】
第１容器と、第２容器とが嵌合され、前記第１容器または前記第２容器の少なくとも一方が可撓性を有する加熱用容器であって、
前記第１容器または前記第２容器の何れか一方に突出部が設けられ、
前記突出部が設けられた前記第１容器または前記第２容器の他方には、
前記突出部の一部に嵌合して係止し得る係止部と、
前記係止部に連続すると共に前記突出部の一部に嵌合し得る第１嵌合溝と、
前記第１嵌合溝に連続して形成されると共に前記突出部の一部に嵌合し得る第２嵌合溝と、
前記第２嵌合溝から前記第１嵌合溝を経て容器の開口部に亘って該容器の軸方向に連通される通気溝と、
が設けられ、
前記突出部の一部を前記第２嵌合溝に嵌合した状態で加熱し加圧されると、内圧により前記突出部の一部が前記第１嵌合溝内に移動すると共に前記係止部に係止され、前記通気溝が開口されて排気される一方で、冷却されて負圧になると前記開口された通気溝から吸気されることを特徴とする加熱用容器。
【請求項２】
上部開口型の容器本体と、該容器本体の上部開口部を閉塞し得る蓋体とを有し、前記容器本体または前記蓋体の少なくとも一方が可撓性を有する加熱用容器であって、前記蓋体は、前記容器本体の上部開口部に嵌入し得る突出部を有し、前記容器本体の上部開口部の内壁面には、前記容器本体の上部開口部側に設けられ且つ前記蓋体の前記突出部の一部を嵌入して係止し得る係止部と、前記係止部に連続すると共に前記蓋体の前記突出部の一部を嵌入し得る第１嵌入溝と、前記第１嵌入溝に連続して下方に形成されると共に前記蓋体の前記突出部の一部の外径に対応する内径を有し該突出部の一部を嵌入し得る第２嵌入溝と、前記第２嵌入溝から前記第１嵌入溝を経て前記容器本体の上部開口部に亘って前記容器本体の軸方向に連通される通気溝とが設けられ、前記蓋体の前記突出部の一部を前記容器本体の前記第２嵌入溝に嵌入した状態で加熱し加圧されると、内圧により前記蓋体の前記突出部の一部が前記容器本体の前記第１嵌入溝内に移動すると共に前記係止部に係止され、前記通気溝が開口されて排気される一方で、冷却されて負圧になると前記開口された通気溝から吸気されることを特徴とする加熱用容器。
【請求項３】
前記通気溝は前記容器の開口部の内壁面の周上に設けられたことを特徴とする請求項１または請求項２に記載の加熱用容器。
【発明の詳細な説明】
【技術分野】
【０００１】
本発明は、上部開口型の容器本体と、該容器本体の上部開口部を閉塞し得る蓋体とを有する加熱用容器に関するものである。
【背景技術】
【０００２】
従来、電子レンジ加熱用容器としては、例えば、特開２０００−３１６７１６号公報（特許文献１）に記載されたように、蓋体で閉塞した容器本体内の蒸気圧が所定の高圧に達すると外部へ蒸気を排出する弁機構を設けたものが提案されている。
【０００３】
【特許文献１】特開２０００−３１６７１６号公報
【発明の開示】
【発明が解決しようとする課題】
【０００４】
しかしながら、前述の特許文献１の技術では、加熱後、冷却されて容器内部が負圧になったとき、弁機構が再び閉じて蓋体に大きな負圧が作用し、調理後の蓋の開放が困難となる場合があった。また、弁機構が複雑であるため調理後の水洗いが困難で不衛生となってしまうといった問題があった。
【０００５】
本発明は前記課題を解決するものであり、その目的とするところは、加熱後、冷却されて容器内部が負圧になっても蓋体に大きな負圧が作用せず、調理後の蓋の開放が容易で、弁構造が簡単で調理後の水洗いも容易に出来る加熱用容器を提供せんとするものである。
【課題を解決するための手段】
【０００６】
前記目的を達成するための本発明に係る加熱用容器の第１の構成は、第１容器と、第２容器とが嵌合され、前記第１容器または前記第２容器の少なくとも一方が可撓性を有する加熱用容器であって、前記第１容器または前記第２容器の何れか一方に突出部が設けられ、前記突出部が設けられた前記第１容器または前記第２容器の他方には、前記突出部の一部に嵌合して係止し得る係止部と、前記係止部に連続すると共に前記突出部の一部に嵌合し得る第１嵌合溝と、前記第１嵌合溝に連続して形成されると共に前記突出部の一部に嵌合し得る第２嵌合溝と、前記第２嵌合溝から前記第１嵌合溝を経て容器の開口部に亘って該容器の軸方向に連通される通気溝とが設けられ、前記突出部の一部を前記第２嵌合溝に嵌合した状態で加熱し加圧されると、内圧により前記突出部の一部が前記第１嵌合溝内に移動すると共に前記係止部に係止され、前記通気溝が開口されて排気される一方で、冷却されて負圧になると前記開口された通気溝から吸気されることを特徴とする。
【０００７】
また、本発明に係る加熱用容器の第２の構成は、上部開口型の容器本体と、該容器本体の上部開口部を閉塞し得る蓋体とを有し、前記容器本体または前記蓋体の少なくとも一方が可撓性を有する加熱用容器であって、前記蓋体は、前記容器本体の上部開口部に嵌入し得る突出部を有し、前記容器本体の上部開口部の内壁面には、前記容器本体の上部開口部側に設けられ且つ前記蓋体の前記突出部の一部を嵌入して係止し得る係止部と、前記係止部に連続すると共に前記蓋体の前記突出部の一部を嵌入し得る第１嵌入溝と、前記第１嵌入溝に連続して下方に形成されると共に前記蓋体の前記突出部の一部の外径に対応する内径を有し該突出部の一部を嵌入し得る第２嵌入溝と、前記第２嵌入溝から前記第１嵌入溝を経て前記容器本体の上部開口部に亘って前記容器本体の軸方向に連通される通気溝とが設けられ、前記蓋体の前記突出部の一部を前記容器本体の前記第２嵌入溝に嵌入した状態で加熱し加圧されると、内圧により前記蓋体の前記突出部の一部が前記容器本体の前記第１嵌入溝内に移動すると共に前記係止部に係止され、前記通気溝が開口されて排気される一方で、冷却されて負圧になると前記開口された通気溝から吸気されることを特徴とする。
【０００８】
また、本発明に係る加熱用容器の第３の構成は、前記第１、第２の構成において、前記通気溝は前記容器の開口部の内壁面の周上に設けられたことを特徴とする。
【発明の効果】
【０００９】
本発明に係る加熱用容器の第１の構成によれば、第１容器または第２容器の何れか一方に設けられた突出部の一部を他方の容器の第２嵌入溝に嵌入した状態で加熱し加圧されると、内圧により突出部の一部が第１嵌入溝内に移動すると共に係止部に係止され、通気溝が開口されて排気されるため加圧により第１、第２容器相互が外れることが無い。また、加熱後、冷却されて容器内部が負圧になると開口された通気溝から吸気されるため容器に大きな負圧が作用せず、調理後の容器の開放が容易である。
【００１０】
本発明に係る加熱用容器の第２の構成によれば、蓋体の突出部の一部を容器本体の第２嵌入溝に嵌入した状態で加熱し加圧されると、内圧により蓋体の突出部の一部が容器本体の第１嵌入溝内に移動すると共に係止部に係止され、通気溝が開口されて排気されるため加圧により蓋体が容器本体から外れることが無い。また、加熱後、冷却されて容器内部が負圧になると開口された通気溝から吸気されるため蓋体に大きな負圧が作用せず、調理後の蓋の開放が容易である。
【００１１】
また、弁構造が簡単であるため調理後の蓋体及び容器本体の水洗いも容易に出来、衛生的である。また、蓋体の突出部の一部が第２嵌入溝から第１嵌入溝内に移動したことを蓋体の高さの変化で視認することで調理の過程を確認することが出来る。
【００１２】
また、本発明に係る加熱用容器の第３の構成によれば、通気溝を容器の開口部の内壁面の周上に設けたことで、該通気溝を介して加熱時及び加熱後の容器内部と外気との間の通気が均一に出来、容器の変形等を防止できる。
【発明を実施するための最良の形態】
【００１３】
図により本発明に係る加熱用容器の一実施形態を具体的に説明する。図１は本発明に係る加熱用容器の構成を示す斜視説明図、図２は蓋体の突出部の一部となる拡径部を容器本体の第２嵌入溝に嵌入した状態を示す断面説明図、図３は内圧により蓋体の突出部の一部となる拡径部が容器本体の第１嵌入溝内に移動すると共に係止部に係止された状態を示す断面説明図である。
【００１４】
図１〜図３において、１は第１容器となる上部開口型の容器本体２と、該容器本体２の上部開口部２ａを閉塞し得る第２容器となる蓋体３とを有し、該容器本体２及び蓋体３が可撓性を有する加熱用容器である。尚、容器本体２及び蓋体３は何れか一方が可撓性を有している場合でも良い。容器本体２及び蓋体３は透明または半透明で構成することが出来、本実施形態の容器本体２及び蓋体３の材質は、耐熱性を有する熱可塑性プラスチックである。
【００１５】
蓋体３は、容器本体２の上部開口部２ａに嵌入し得る突出部３ａを有すると共に該突出部３ａの下端部に該突出部３ａ本体の外径よりも大きい外径を有する拡径部３ｂを有し、容器本体２の上部開口部２ａの内壁面２ｂには、該容器本体２の上部開口部２ａ側に設けられ且つ蓋体３の拡径部３ｂを嵌入して係止し得る係止部２ｃと、該係止部２ｃに連続すると共に蓋体３の拡径部３ｂを嵌入し得る第１嵌入溝２ｄと、該第１嵌入溝２ｄに連続して下方に形成されると共に該第１嵌入溝２ｄの内径よりも小さく且つ蓋体３の拡径部３ｂの外径に対応する内径を有し該拡径部３ｂを嵌入し得る第２嵌入溝２ｅと、該第２嵌入溝２ｅから第１嵌入溝２ｄを経て容器本体２の上部開口部２ａに亘って該容器本体２の軸方向（図２及び図３の上下方向）に連通される通気溝２ｆとが設けられている。
【００１６】
通気溝２ｆは容器本体２の上部開口部２ａの内壁面２ｂの周上に複数箇所設けることが好ましく、本実施形態では容器本体２の上部開口部２ａの内壁面２ｂの周上に互いに対向した２箇所の通気溝２ｆが設けられているが、１箇所或いは３箇所、４箇所等の他の複数個の通気溝２ｆを容器本体２の上部開口部２ａの内壁面２ｂの周上に所定ピッチで設けることが出来る。
【００１７】
また、容器本体２の上部開口部２ａの外壁面の周上及び蓋体３の下部開口部の外壁面の周上にはそれぞれ対向する位置に取手部２ｇ，３ｃが設けられている。また、容器本体２の第２嵌入溝２ｅに連続して当接部２ｈが設けられており、図２に示すように、蓋体３の拡径部３ｂを容器本体２の第２嵌入溝２ｅに嵌入した状態で蓋体３の突出部３ａの下端面3a1が該当接部２ｈに当接する。
【００１８】
上記構成において、図２に示すように、蓋体３の拡径部３ｂを容器本体２の第２嵌入溝２ｅに嵌入した状態で電子レンジで加熱し容器１内部が加圧されると、図３に示すように、内圧により蓋体３の拡径部３ｂが容器本体２の第１嵌入溝２ｄ内に移動すると共に係止部２ｃに係止され、通気溝２ｆが開口されて排気されるため加圧により蓋体３が容器本体２から外れることが無い。
【００１９】
また、調理後に自然冷却されて容器１内部が負圧になると開口された通気溝２ｆから外気が吸気されるため蓋体３に大きな負圧が作用せず、調理後の蓋体３の開放が容易である。
【００２０】
また、弁構造が簡単であるため調理後の蓋体３及び容器本体２の水洗いも容易に出来、衛生的である。また、蓋体３の拡径部３ｂが第２嵌入溝２ｅから第１嵌入溝２ｄ内に移動したことを蓋体３の高さの変化で視認することで調理の過程を確認することが出来る。
【００２１】
尚、前記実施形態では、蓋体３の拡径部３ｂが嵌入される内径の異なる第１、第２嵌入溝２ｄ，２ｅを設けた場合の一例について説明したが、蓋体３の拡径部３ｂが嵌入される嵌入溝は２つに限定されるものではなく、上部開口部２ａ側に向かって順次内径を大きくした３つ以上の嵌入溝を設け、最も底側の嵌入溝から順次上段の嵌入溝を経て容器本体２の上部開口部２ａに亘って該容器本体２の軸方向（図２及び図３の上下方向）に連通される通気溝２ｆを設けて構成することも出来る。
【００２２】
尚、上記加熱用容器１は電子レンジ用の加熱用容器１として好適であるが、通常の鍋の中にお湯を張ってその内部で上記加熱用容器１を内鍋として利用して調理する場合でも適用出来、容器本体２をアルミニウム製として直接容器本体２に火をかける場合でも適用可能である。
【００２３】
尚、図２及び図３において、容器本体２と蓋３とを天地を逆さまにした加熱用容器１であっても良く、第１容器と、第２容器とが嵌合され、第１容器または第２容器の少なくとも一方が可撓性を有する加熱用容器１であって、第１容器または第２容器の何れか一方に突出部（拡径部３ｂ）が設けられ、該突出部（拡径部３ｂ）が設けられた第１容器または第２容器の他方には、突出部（拡径部３ｂ）の一部に嵌合して係止し得る係止部（係止部２ｃ）と、該係止部（係止部２ｃ）に連続すると共に突出部（拡径部３ｂ）の一部に嵌合し得る第１嵌合溝（第１嵌入溝２ｄ）と、該第１嵌合溝（第１嵌入溝２ｄ）に連続して形成されると共に突出部（拡径部３ｂ）の一部に嵌合し得る第２嵌合溝（第２嵌入溝２ｅ）と、該第２嵌合溝（第２嵌入溝２ｅ）から第１嵌合溝（第１嵌入溝２ｄ）を経て容器１の開口部に亘って該容器１の軸方向に連通される通気溝（通気溝２ｆ）とが設けられ、突出部（拡径部３ｂ）の一部を第２嵌合溝（第２嵌入溝２ｅ）に嵌合した状態で加熱し加圧されると、内圧により突出部（拡径部３ｂ）の一部が第１嵌合溝（第１嵌入溝２ｄ）内に移動すると共に係止部（係止部２ｃ）に係止され、通気溝（通気溝２ｆ）が開口されて排気される一方で、冷却されて負圧になると開口された通気溝（通気溝２ｆ）から吸気されるように構成することが出来る。
【産業上の利用可能性】
【００２４】
本発明の活用例として、上部開口型の容器本体と、該容器本体の上部開口部を閉塞し得る蓋体とを有する加熱用容器に適用出来る。
【図面の簡単な説明】
【００２５】
【図１】本発明に係る加熱用容器の構成を示す斜視説明図である。
【図２】蓋体の突出部の一部となる拡径部を容器本体の第２嵌入溝に嵌入した状態を示す断面説明図である。
【図３】内圧により蓋体の突出部の一部となる拡径部が容器本体の第１嵌入溝内に移動すると共に係止部に係止された状態を示す断面説明図である。
【符号の説明】
【００２６】
１…加熱用容器
２…容器本体
２ａ…上部開口部
２ｂ…内壁面
２ｃ…係止部
２ｄ…第１嵌入溝
２ｅ…第２嵌入溝
２ｆ…通気溝
２ｇ…取手部
２ｈ…当接部
３…蓋体
３ａ…突出部
3a1…下端面
３ｂ…拡径部
３ｃ…取手部
【図１】
0005208582.tif 000002
【図２】
0005208582.tif 000003
【図３】
0005208582.tif 000004